(57)【要約】【課題】  対象となる患者と同じ病室に居る他の患者が自身のベッド近傍に設置されているナースコール子機の呼出操作部を操作して呼び出した場合に、他の患者による呼び出しであるか、対象となる患者の代わりに行った呼び出しであるかを医療従事者が明確に区別できる。【解決手段】  呼出操作部３が操作されると、検出部４はその操作方法を検出する。検出した操作方法が第一の操作方法である場合に、報知部１４は、呼出操作部３を操作した患者本人からの呼び出しである第一の報知を行う。また、検出した操作方法が第二の操作方法である場合に、報知部１４は、呼出操作部３を操作した患者と同じ病室に居る患者からの呼び出しである第二の報知を行う。これにより、同一の呼出操作部３の操作により、報知部１４は、対象となる患者と同じ病室に居る他の患者による呼び出し、および、対象となる患者の代わりに行った呼び出しを区別して報知することができる。【選択図】        図１
2013048795.tif 000002
【特許請求の範囲】
【請求項１】
複数の患者が居る病室のベッド近傍に設置され、医療従事者を呼び出すための呼出操作を行うための呼出操作部と、前記呼出操作部が操作された場合に、前記呼出操作部の操作方法を検出し、検出した操作方法を示す操作方法情報を生成する検出部と、前記呼出操作部が操作された場合に、自装置を他の装置と識別するための子機識別情報および前記検出部にて生成された操作方法情報を含む呼出信号を生成する子機用制御部と、前記子機用制御部にて生成した呼出信号を出力する子機用インターフェース部とを有するナースコール子機と、
前記ナースコール子機から出力した呼出信号を入力するインターフェース部と、前記呼出操作部が操作されたナースコール子機を使用している患者本人からの呼び出しである第一の報知および前記呼出操作部が操作されたナースコール子機を使用している患者と同じ病室に居る患者からの呼び出しである第二の報知を区別して行う報知部と、前記インターフェース部が呼出信号を入力した場合に、入力した呼出信号に含まれる操作方法情報が患者本人からの呼び出しであることを示す第一の操作方法に該当する第一の操作方法情報および患者と同じ病室に居る患者からの呼び出しであることを示す第二の操作方法に該当する第二の操作方法情報の何れであるかを判定して、前記操作方法情報が前記第一の操作方法情報であると判断したときに、入力した呼出信号に含まれる子機識別情報により前記ナースコール子機を特定するとともに前記報知部に前記第一の報知を行わせ、前記操作方法情報が前記第二の操作方法情報であると判断したときに、入力した呼出信号に含まれる子機識別情報により前記ナースコール子機を特定するとともに前記報知部に前記第二の報知を行わせる制御部とを有するナースコール親機と、
を備えたことを特徴とするナースコールシステム。
【発明の詳細な説明】
【技術分野】
【０００１】
本発明は、病院や介護施設などで患者や被介護者からの要求に応じて医療従事者や介護者を呼び出すナースコールシステムに関する。
【背景技術】
【０００２】
従来、病院や介護施設（以下、施設とする）では、ナースコールシステムが用いられている。ナースコールシステムは、施設の部屋（例えば、病室など）内の患者や被介護者（以下、単に患者とする）の近辺（例えば、ベッド近傍など）やトイレなどに設置されたナースコール子機および医療従事者や介護者（以下、単に医療従事者とする）の居る部屋（例えば、ナースステーションなど）に設置されたナースコール親機を有線などにより接続して構成されている。また、ナースコール親機によっては、医療従事者が携行している携帯通信端末（例えば、ＰＨＳ（Ｐｅｒｓｏｎａｌ  Ｈａｎｄｙｐｈｏｎｅ  Ｓｙｓｔｅｍ）やコードレス電話など）を無線によって接続するものも存在する。
【０００３】
そして、患者によりナースコール子機にて呼び出し操作が行われると、ナースコール親機や携帯通信端末（以下、単にナースコール親機とする）は、自装置に設けられた報知部を動作させて、報知用スピーカーから呼び出し音を出力させたり、表示ディスプレイなどに呼び出し表示を行わせたりして呼び出しを報知している。ここで、呼び出し操作が行われたナースコール子機を使用している患者を特定するには、ナースコール子機を他のナースコール子機と識別するための子機識別情報とそのナースコール子機を使用している患者の名前を示す患者氏名情報とを関連付けて記憶しておけば良い。ナースコール子機により呼び出し操作が行われた場合に、そのナースコール子機の子機識別情報に関連付けて記憶されている患者氏名情報を取得することで、ナースコール親機が報知を行う際に、呼び出し操作を行った患者を特定することができる。そのため、医療従事者は、報知によって呼び出し操作を行った患者を把握することができる。また、ナースコール子機およびナースコール親機に通話機能が搭載されている場合、呼び出しを把握した医療従事者は、患者からの呼び出しに対する応答の操作を行うと、操作されたナースコール子機とナースコール親機との間に通話路が形成されて呼び出しを行った患者と会話することができる。
【０００４】
通常、ナースコール子機は、患者が医療従事者を呼び出すための呼出操作部を備えている。患者が呼出操作部を操作すると、ナースコール子機は、ナースコール親機や携帯通信端末に対して患者が医療従事者を呼び出すための通常の呼び出しを行うようにしている。また、ナースコール子機によっては、患者の容体が急に悪化した場合などに、その近辺に居る医療従事者により操作され、他の医療従事者を呼び出すための緊急呼出操作部を備えているものも存在する（例えば、特許文献１など）。特許文献１に記載のナースコールシステムでは、患者の近辺に居る医療従事者がベッド近傍に設置されている緊急呼出操作部を操作すると、ナースコール子機は、医療従事者が他の医療従事者を呼び出すための緊急の呼び出しを行うようにしている。なお、緊急呼出操作部は、見舞客などによっても操作されることがある。
【０００５】
しかしながら、特許文献１に記載の技術では、対象となる患者の近辺に医療従事者や見舞客が居なければ、緊急呼出操作部が操作されないため、医療従事者を呼び出すことができなくなってしまうという問題があった。このような問題を解決するためには、以下の方法が考えられる。すなわち、対象となる患者が居る病室が、複数の患者が居る多床室である場合に、その病室に居る他の患者（以下、他の患者とする）が対象となる患者の居るベッドの近傍へ移動して、そのベッド近傍に設置されているナースコール子機の緊急呼出操作部や呼出操作部を操作したり、自身の居るベッド近傍に設置されているナースコール子機の緊急呼出操作部や呼出操作部を操作したりすることで、医療従事者を呼び出すことができる。
【０００６】
しかしながら、他の患者が自力で移動することができない状況では、他の患者が対象となる患者の居るベッドの近傍のナースコール子機の緊急呼出操作部や呼出操作部を操作することができないという問題があった。また、他の患者が自身のベッド近傍に設置されているナースコール子機の緊急呼出操作部や呼出操作部を操作した場合には、他の患者が対象となる患者の居るベッドの近傍へ移動する必要はなくなるものの、他の患者が呼び出しを行ったことになるので、医療従事者が呼び出しを行っている患者を区別することができなくなってしまうという問題があった。
【先行技術文献】
【特許文献】
【０００７】
【特許文献１】特開２００６−３２５７８３号公報
【発明の概要】
【発明が解決しようとする課題】
【０００８】
本発明は、このような問題を解決するために成されたものであり、対象となる患者と同じ病室に居る他の患者が自身のベッド近傍に設置されているナースコール子機の呼出操作部を操作して呼び出しを行った場合に、他の患者による呼び出しであるか、対象となる患者の代わりに行われた呼び出しであるかを医療従事者が明確に区別できるようにすることを目的とする。
【課題を解決するための手段】
【０００９】
上述した課題を解決するために、本発明のナースコールシステムでは、ナースコール子機の呼出操作部の操作方法が第一の操作方法である場合に、患者本人からの呼び出しであることを示す報知を行い、ナースコール子機の呼出操作部の操作方法が第二の操作方法である場合に、患者と同じ病室に居る患者からの呼び出しであることを示す報知を行うようにしている。
【発明の効果】
【００１０】
上記のように構成した本発明によれば、ナースコール子機の呼出操作部の操作方法が第一の操作方法である場合には、患者本人からの呼び出しであることを示す報知が行われる。一方、ナースコール子機の呼出操作部の操作方法が第二の操作方法である場合には、呼出操作部を操作した患者と同じ病室に居る患者からの呼び出しであることを示す報知が行われる。これにより、同一の呼出操作部の操作により、対象となる患者と同じ病室に居る他の患者による呼び出し、および、対象となる患者の代わりに行った呼び出しをナースコール親機が区別して報知することができる。従って、医療従事者は、他の患者による呼び出しであるか、対象となる患者の代わりに行われた呼び出しであるかを明確に区別することができる。
【図面の簡単な説明】
【００１１】
【図１】本実施形態によるナースコースシステムの構成例を示すブロック図である。
【図２】本実施形態によるナースコールシステムのナースコール子機を適用した病室の状態例を示す図である。
【図３】本実施形態によるナースコールシステムのナースコール親機の記憶部の記憶内容の例を示す図である。
【発明を実施するための形態】
【００１２】
以下、本発明の一実施形態を図面に基づいて説明する。図１は、本実施形態によるナースコールシステムの構成例を示すブロック図である。同図に示すように、本実施形態によるナースコールシステムは、ナースコール子機１、ナースコール親機１０を備えて構成されている。
【００１３】
図１において、ナースコール子機１は、複数の患者が居る多床室である病室の各患者の近辺（例えば、ベッド近傍など）に設置されており、患者が医療従事者を呼び出すためのものである。ここで、ナースコール子機１は、伝送線を介してナースコール親機１０に接続されている。また、ナースコール子機１は、子機用制御部２、呼出操作部３、検出部４、タイマー５、子機用インターフェース部（以下、子機用Ｉ／Ｆ部と記載する）６を備えて構成されている。
【００１４】
図２は、本実施形態によるナースコールシステムのナースコール子機１を適用した病室の状態例を示す図である。同図に示す例では、多床室の病室のベッドａは患者ａにより使用されており、そのベッドａにはナースコール子機１ａが設置されている。また、同じ病室のベッドｂは患者ｂにより使用されており、そのベッドｂにはナースコール子機１ｂが設置されている。
【００１５】
ナースコール親機１０は、医療従事者の居る部屋（例えば、ナースステーションなど）に設置されており、患者本人からの呼び出しを報知したり、呼び出し操作が行われたナースコール子機１を使用している患者と同じ病室に居る患者からの呼び出しを報知したりするために使用される。また、ナースコール親機１０は、医療従事者が患者本人からの呼び出しや呼び出し操作が行われたナースコール子機１を使用している患者と同じ病室に居る患者からの呼び出しに対して応答するために使用される。
【００１６】
また、ナースコール親機１０とナースコール子機１との間には、図示しない制御機と図示しない廊下灯とが設置されている。制御機は、ナースコール子機１とナースコール親機１０との間の通信を制御する。また、廊下灯は、自装置に設けた表示灯を点灯または点滅させて患者本人からの呼び出しを報知したり、呼び出し操作が行われたナースコール子機１を使用している患者と同じ病室に居る患者からの呼び出しを報知したりする。
【００１７】
また、ナースコール親機１０が図示しない携帯通信端末（例えば、ＰＨＳやコードレス電話など）を無線によって接続している場合、携帯通信端末は、患者本人からの呼び出しを報知したり、呼び出し操作が行われたナースコール子機１を使用している患者と同じ病室に居る患者からの呼び出しを報知したりする。また、ナースコール親機１０は、制御部１１、インターフェース部（以下、Ｉ／Ｆ部と記載する）１２、記憶部１３、報知部１４、復旧操作部１５を備えて構成されている。
【００１８】
ナースコール子機１の子機用制御部２は、ＣＰＵ（Ｃｅｎｔｒａｌ  Ｐｒｏｃｅｓｓｉｎｇ  Ｕｎｉｔ）などにより構成されており、ナースコール子機１の各構成要素を後述するように制御する。呼出操作部３は、ボタンなどにより構成されており、患者により医療従事者を呼び出すために操作される。検出部４は、呼出操作部３が操作された場合に、呼出操作部３の操作方法を検出し、検出した操作方法を示す操作方法情報を生成する。タイマー５は、時間を計測するためのものである。ここで、患者は、予め決められている操作方法に基づいて呼出操作部３を操作する。また、本実施形態による操作方法は、呼出操作部３が所定時間内に操作された回数によって区別される。また、呼出操作部３が所定時間内に１回操作されたと検出部４にて検出すると、検出部４は、第一の操作方法を示す操作方法情報を生成する。また、呼出操作部３が所定時間内に２回以上操作されたと検出部４にて検出すると、検出部４は、第二の操作方法を示す操作方法情報を生成する。また、第一の操作方法は、患者本人からの呼び出しであることを示すものであり、第二の操作方法は、呼出操作部３を操作した患者と同じ病室に居る患者からの呼び出しであることを示すものである。
【００１９】
具体的には、呼出操作部３が操作されると、子機用制御部２はタイマー５を動作させ、タイマー５は時間の計測を開始する。また、子機用制御部２は、タイマー５が計測した時間が予め設定しておいた所定時間に達するまでに、呼出操作部３が再び操作されたか否かを判定する。ここで、所定時間とは、患者が呼出操作部３を続けて２回以上操作する際に要する時間であり、比較的短い時間（例えば、２秒程度など）となる。
【００２０】
タイマー５が計測した時間が所定時間に達するまでに、呼出操作部３が再び操作されなかったと子機用制御部２にて判断した場合に、子機用制御部２はタイマー５の動作を停止させるとともに、検出部４は呼出操作部３が１回だけ操作されたことを検出して、第一の操作方法を示す操作方法情報を生成する。一方、タイマー５が計測した時間が所定時間に達するまでに、呼出操作部３が再び操作されたと子機用制御部２にて判断した場合に、子機用制御部２はタイマー５の動作を停止させるとともに、検出部４は呼出操作部３が２回以上操作されたことを検出して、第二の操作方法を示す操作方法情報を生成する。そして、子機用制御部２は、医療従事者に対して呼び出しを行うための呼出信号を生成する。ここで、呼出信号は、このナースコール子機１を他のナースコール子機１と識別するための子機識別情報および検出部４にて生成した操作方法情報を含む。また、子機識別情報は、ナースコール子機１が設置されているベッドのベッド番号により構成されている。また、ベッド番号は、患者が居る病室の病室番号とベッドに割り振られている通し番号とにより構成されている。そのため、子機識別情報により、ナースコール子機１が設置されている病室を特定することができる。
【００２１】
子機用Ｉ／Ｆ部６は、ナースコール子機１にナースコール親機１０を接続しており、子機用制御部２にて生成した呼出信号をナースコール親機１０へ出力する。また、子機用Ｉ／Ｆ部６は、ナースコール親機１０から出力された復旧信号を入力する。ここで、復旧信号は、呼出操作部３が最初に操作される前の状態にナースコール子機１を戻すための信号である。また、復旧信号は、後述する復旧操作部１５が操作される際に行われている報知部１４の報知により特定されるナースコール子機１の子機識別情報を含む。また、検出部４が操作方法情報を生成して子機用制御部２が呼出信号を生成すると、呼出操作部３が続けて操作されても、子機用制御部２はタイマー５を動作させず、検出部４は操作方法情報を生成しなくなるため、子機用制御部２は呼出信号を生成しなくなる。この状態は、子機用Ｉ／Ｆ部６が自装置のナースコール子機１の子機識別情報と同一の子機識別情報を含む復旧信号を入力するまで継続される。
【００２２】
ナースコール親機１０の制御部１１は、ＣＰＵなどにより構成されており、ナースコール親機１０の各構成要素を後述するように制御する。Ｉ／Ｆ部１２は、ナースコール親機１０にナースコール子機１を接続しており、ナースコール子機１から出力された呼出信号を入力する。また、Ｉ／Ｆ部１２は、後述する処理により生成された復旧信号をナースコール子機１へ出力する。
【００２３】
記憶部１３は、メモリなどにより構成されており、ナースコール子機１の子機識別情報およびそのナースコール子機１を使用している患者の氏名を示す患者氏名情報とを関連付けて予め記録している。記憶部１３は、図３に示すように、子機識別情報「２０１−１」に対して患者氏名情報「患者ａ」を関連付けて予め記憶している。また、子機識別情報「２０１−２」に対して患者識別情報「患者ｂ」を関連付けて予め記憶している。ここで、患者ａは２０１号室の一番目のベッドを使用している患者であり、患者ｂは２０１号室の二番目のベッドを使用している患者である。
【００２４】
報知部１４は、患者本人からの呼び出しであることを示す第一の報知および呼出操作部３が操作されたナースコール子機１を使用している患者と同じ病室に居る患者からの呼び出しであることを示す第二の報知を行うためのものであり、スピーカーや表示灯、表示装置などにより構成されている。ここで、報知部１４は、第一の報知と第二の報知とを区別するために報知のパターンを異ならせて報知を行う。また、報知部１４は、第一の報知または第二の報知を行う際に、呼出信号に含まれる子機識別情報および記憶部１３に関連付けて記憶されている患者氏名情報を用いて、スピーカーから音声を出力させたり、表示灯を点灯または点滅させたり、表示装置の表示を行わせたりして報知を行う。これにより、報知部１４による第一の報知または第二の報知を把握した医療従事者は、呼出操作部３が操作されたナースコール子機１を使用している患者が居る病室および呼出操作部３を操作した患者を把握することができる。
【００２５】
Ｉ／Ｆ部１２がナースコール子機１から出力された呼出信号を入力すると、制御部１１は、入力した呼出信号に含まれる子機識別情報および操作方法情報を抽出する。また、制御部１１は、抽出した操作方法情報が第一の操作方法に該当する第一の操作方法情報および第二の操作方法に該当する第二の操作方法情報の何れであるかを判定する。操作方法情報が第一の操作方法情報であると制御部１１にて判断した場合に、制御部１１は記憶部１３を参照して、抽出した子機識別情報から呼出操作部３が操作されたナースコール子機１が設置されているベッドのベッド番号、および、抽出した子機識別情報に関連付けて記憶されている患者氏名情報により呼び出しを行った患者の氏名を特定する。そして、制御部１１は、特定したベッド番号および患者の氏名を用いて、その患者本人が呼び出しを行ったことを示す第一の報知を報知部１４に行わせる。
【００２６】
一方、操作方法情報が第二の操作方法情報であると制御部１１にて判断した場合に、制御部１１は記憶部１３を参照して、抽出した子機識別情報から呼出操作部３が操作されたナースコール子機１が設置されているベッドのベッド番号、および、抽出した子機識別情報に関連付けて記憶されている患者氏名情報により呼び出しを行った患者の氏名を特定する。そして、制御部１１は、特定したベッド番号および患者の氏名を用いて、呼出操作部３が操作されたナースコール子機１を使用している患者が自分と同じ病室に居る患者に代わって呼び出しを行ったことを示す第二の報知を報知部１４に行わせる。
【００２７】
復旧操作部１５は、ボタンなどにより構成されており、報知部１４による報知を停止するために操作される。報知部１４による報知が行われている状態で、復旧操作部１５が操作されると、制御部１１は、報知部１４の動作を停止させるとともに、報知部１４を報知させる際にＩ／Ｆ部１２が入力した呼出信号に含まれていた子機識別情報を含む復旧信号を生成する。
【００２８】
このように構成されているナースコールシステムにおいて、図２に示すように、病室のベッドａに居る患者ａが医療従事者を呼び出す場合には、患者ａは、ナースコール子機１ａの呼出操作部３を１回操作する。すると、子機用制御部２はタイマー５を動作させ、タイマー５は時間の計測を開始する。その後、患者ａは呼出操作部３を操作しないため、子機用制御部２はタイマー５が計測した時間が所定時間に達するまでに、呼出操作部３が再び操作されなかったと判断して、タイマー５の動作を停止させる。そして、検出部４は、呼出操作部３が１回だけ操作されたことを検出して、第一の操作方法を示す操作方法情報を生成する。子機用制御部２は、このナースコール子機１ａの子機識別情報「２０１−１」および検出部４にて生成した第一の操作方法を示す操作方法情報を含む呼出信号を生成する。子機用Ｉ／Ｆ部６は、子機用制御部２にて生成した呼出信号をナースコール親機１０へ出力する。
【００２９】
ナースコール親機１０では、Ｉ／Ｆ部１２がナースコール子機１ａから出力された呼出信号を入力すると、制御部１１は、呼出信号に含まれる子機識別情報「２０１−１」および第一の操作方法を示す操作方法情報を抽出する。また、制御部１１は記憶部１３を参照して（図３を参照）、抽出した子機識別情報「２０１−１」に関連付けて記憶されている患者氏名情報「患者ａ」を取得する。そして、制御部１１は、抽出した第一の動作方法を示す操作方法情報から報知部１４に第一の報知を行わせる。このとき、制御部１１は、２０１号室の患者ａ本人からの呼び出しであることを報知部１４にて報知させる。
【００３０】
この状態で、復旧操作部１５が操作されると、制御部１１は、報知部１４の動作を停止させるとともに、報知部１４を動作させる際にＩ／Ｆ部１２が入力した呼出信号に含まれていた子機識別情報「２０１−１」を含む復旧信号を生成する。Ｉ／Ｆ部１２は、制御部１１にて生成した復旧信号を各ナースコール子機１ａ、１ｂへ出力する。ナースコール子機１ａでは、子機用Ｉ／Ｆ部６がこのナースコール子機１ａの子機識別情報「２０１−１」を含む復旧信号を入力するため、子機用制御部２はナースコール子機１ａを元の状態に戻す。
【００３１】
一方、患者ｂの容体が急に悪化するなどして、同じ病室に居る患者ａが患者ｂの代わりに医療従事者を呼び出す場合には、患者ａは、ナースコール子機１ａの呼出操作部３を続けて２回操作する。呼出操作部３が１回操作されると、子機用制御部２はタイマー５を動作させ、タイマー５は時間の計測を開始する。その後、患者ａは呼出操作部３を続けて操作するため、子機用制御部２はタイマー５が計測した時間が所定時間に達するまでに、呼出操作部３が再び操作されたと判断して、タイマー５の動作を停止させる。そして、検出部４は、呼出操作部３が２回以上操作されたことを検出して、第二の操作方法を示す操作方法情報を生成する。子機用制御部２は、このナースコール子機１ａの子機識別情報「２０１−１」および検出部４にて生成した第二の操作方法を示す操作方法情報を含む呼出信号を生成する。子機用Ｉ／Ｆ部６は、子機用制御部２にて生成した呼出信号をナースコール親機１０へ出力する。
【００３２】
ナースコール親機１０では、Ｉ／Ｆ部１２がナースコール子機１ａから出力された呼出信号を入力すると、制御部１１は、呼出信号に含まれる子機識別情報「２０１−１」および第二の操作方法を示す操作方法情報を抽出する。また、制御部１１は記憶部１３を参照して（図３を参照）、抽出した子機識別情報「２０１−１」に関連付けて記憶されている患者氏名情報「患者ａ」を取得する。そして、制御部１１は、抽出した第二の操作方法を示す操作方法情報から報知部１４に第二の報知を行わせる。このとき、制御部１１は、２０１号室の患者ａが同じ病室に居る患者の代わりに呼び出しを行っていることを報知部１４にて報知させる。
【００３３】
この状態で、復旧操作部１５が操作されると、制御部１１は、報知部１４の動作を停止させるとともに、報知部１４を動作させる際にＩ／Ｆ部１２が入力した呼出信号に含まれていた子機識別情報「２０１−１」を含む復旧信号を生成する。Ｉ／Ｆ部１２は、制御部１１にて生成した復旧信号を各ナースコール子機１ａ、１ｂへ出力する。ナースコール子機１ａでは、子機用Ｉ／Ｆ部６がこのナースコール子機１ａの子機識別情報「２０１−１」を含む復旧信号を入力するため、子機用制御部２はナースコール子機１ａを元の状態に戻す。
【００３４】
以上、詳しく説明したように、本実施形態のナースコールシステムでは、呼出操作部３が１回操作されると、子機用制御部２はタイマー５を動作させて、タイマー５が計測した時間が所定時間に達するまでに、呼出操作部３が再び操作されたか否かを判定する。タイマー５が計測した時間が所定時間に達するまでに、呼出操作部３が再び操作されなかったと子機用制御部２にて判断した場合に、検出部４は、呼出操作部３が１回だけ操作されたことを検出して、第一の操作方法を示す操作方法情報を生成する。一方、タイマー５が計測した時間が所定時間に達するまでに、呼出操作部３が再び操作されたと子機用制御部２にて判断した場合に、検出部４は、呼出操作部３が２回以上操作されたことを検出して、第二の操作方法を示す操作方法情報を生成する。操作方法情報を含む呼出信号を入力したナースコール親機１０では、呼出信号に第一の操作方法を示す操作方法情報が含まれる場合に、制御部１１は、患者本人からの呼び出しであることを示す第一の報知を報知部１４に行わせるようにしている。一方、呼出信号に第二の操作方法を示す操作方法情報が含まれる場合に、制御部１１は、ナースコール子機１の呼出操作部３を操作した患者と同じ病室に居る患者からの呼び出しであることを示す第二の報知を報知部１４に行わせるようにしている。
【００３５】
これにより、呼出操作部３の操作方法が第一の操作方法である場合には、患者本人からの呼び出しであることを示す報知が行われる。一方、呼出操作部３の操作方法が第二の操作方法である場合には、呼出操作部３を操作した患者と同じ病室に居る患者からの呼び出しであることを示す報知が行われる。このことから、同一の呼出操作部３の操作により、報知部１４は、対象となる患者と同じ病室に居る他の患者による呼び出し、および、対象となる患者の代わりに行った呼び出しを区別して報知することができる。従って、医療従事者は、他の患者による呼び出しであるか、対象となる患者の代わりに行われた呼び出しであるかを明確に区別することができる。
【００３６】
なお、前述した実施形態では、制御部１１は、呼出操作部３が所定時間内に１回操作された場合に、報知部１４に第一の報知を行わせ、呼出操作部３が所定時間内に２回以上操作された場合に、報知部１４に第二の報知を行わせているが、これに限定されない。例えば、呼出操作部３が短押しで操作された場合に、制御部１１が報知部１４に第一の報知を行わせ、呼出操作部３が長押しで操作された場合に、制御部１１が報知部１４に第二の報知を行わせるようにしても良い。
【００３７】
具体的には、子機用制御部２は、呼出操作部３が操作されていない状態から呼出操作部３が操作された状態に切り替わったか否かを判定する。呼出操作部３が操作されていない状態から呼出操作部３が操作された状態に切り替わったと子機用制御部２にて判断した場合に、子機用制御部２はタイマー５を動作させ、タイマー５が計測した時間が所定時間に達するまでに、呼出操作部３が操作されている状態から呼出操作部３が操作されなくなった状態に切り替わったか否かを判定する。ここで、所定時間とは、患者が呼出操作部３を長押し操作する際に要する時間であり、比較的短い時間（例えば、２秒程度など）となる。タイマー５が計測した時間が所定時間に達するまでに、呼出操作部３が操作されている状態から呼出操作部３が操作されなくなった状態に切り替わったと子機用制御部２にて判断した場合に、検出部４は、第一の操作方法を示す操作方法情報を生成する。一方、タイマー５が計測した時間が所定時間に達するまでに、呼出操作部３が操作されている状態から呼出操作部３が操作されなくなった状態に切り替わっていないと子機用制御部２にて判断した場合に、検出部４は、第二の操作方法を示す操作方法情報を生成する。
【００３８】
また、前述した実施形態では、検出部４、タイマー５は、ナースコール子機１に設けられているが、これに限定されない。例えば、検出部４、タイマー５をナースコール親機１０に設けるようにしても良い。
【００３９】
具体的には、子機用制御部２は呼出操作部３が操作されている間、自装置の子機識別情報を含む呼出信号を生成して、子機用Ｉ／Ｆ部６は子機用制御部２にて生成した呼出信号をナースコール親機１０へ出力する。また、制御部１１は、Ｉ／Ｆ部１２が呼出信号を入力すると、入力した呼出信号に含まれる子機識別情報を抽出するとともにタイマー５を動作させて、タイマー５は時間の計測を開始する。また、制御部１１は、タイマー５が計測した時間が所定時間に達するまでに、抽出した子機識別情報と同一の子機識別情報を含む呼出信号をＩ／Ｆ部１２にて入力したか否かを判定する。タイマー５が計測した時間が所定時間に達するまでに、抽出した子機識別情報と同一の子機識別情報を含む呼出信号をＩ／Ｆ部１２にて入力しなかったと制御部１１にて判断した場合に、制御部１１はタイマー５の動作を停止させ、検出部４は呼出操作部３が１回だけ操作されたことを検出して、第一の操作方法を示す操作方法情報を生成する。
【００４０】
一方、タイマー５が計測した時間が所定時間に達するまでに、抽出した子機識別情報と同一の子機識別情報を含む呼出信号をＩ／Ｆ部１２にて入力したと制御部１１にて判断した場合に、制御部１１はタイマー５の動作を停止させ、検出部４は呼出操作部３が２回以上操作されたことを検出して、第二の操作方法を示す操作方法情報を生成する。また、検出部４にて操作方法情報が生成されると、制御部１１は記憶部１３を参照し、検出部４にて生成した操作方法情報が第一の操作方法情報および第二の操作方法情報の何れであるかを判定する。
【００４１】
また、前述した実施形態では、呼出操作部３の操作方法は、呼出操作部３が所定時間内に操作された回数によって区別されているが、これに限定されない。例えば、呼出操作部３が操作されたボタンの種類によって呼出操作部３の操作方法が区別されるようにしても良い。この場合、呼出操作部３は、二つ以上のボタンにより構成される必要がある。
【００４２】
その他、ナースコールシステムの構成、処理手順、内容等についても、この発明の要旨を逸脱しない範囲で種々変形して実施することができる。また、上記実施形態に開示されている複数の構成要素の組み合わせにより種々の発明を形成することができる。例えば、実施形態に示される全構成要素からいくつかの構成要素を削除するようにしても良い。さらに、異なる実施形態に亘る構成要素を適宜組み合わせるようにしても良い。
【符号の説明】
【００４３】
１、１ａ、１ｂ    ナースコール子機
２    子機用制御部
３    呼出操作部
４    検出部
５    タイマー
６    子機用インターフェース（Ｉ／Ｆ）部
１０    ナースコール親機
１１    制御部
１２    インターフェース（Ｉ／Ｆ）部
１３    記憶部
１４    報知部
１５    復旧操作部
【図１】
2013048795.tif 000003
【図２】
2013048795.tif 000004
【図３】
2013048795.tif 000005